(57)【要約】【課題】内部で発生する騒音が外部へ漏れ難い遊技機島を提供する。【解決手段】複数の遊技装置２、３を並設して収容すると共に、動力を用いて遊技媒体を搬送する遊技球補給装置５０によって各遊技装置２、３へ遊技媒体を補給する遊技機島１０において、遊技球補給装置５０の上方に防音材３０を配設する。防音材３０は遊技球補給装置５０側の層を吸音材に、この上層を遮音材にした構成を備え、さらに吸音材の表面にはクロスを貼着してある。【選択図】図２
2007151920.tif 000002
【特許請求の範囲】
【請求項１】
複数の遊技装置を並設して収容すると共に、動力を用いて遊技媒体を搬送する駆動搬送手段によって前記各遊技装置へ前記遊技媒体を補給する遊技機島において、
前記駆動搬送手段の上方に防音材を配設した
ことを特徴とする遊技機島。
【請求項２】
前記防音材を、着脱自在に配設した
ことを特徴とする請求項１に記載の遊技機島。
【請求項３】
前記防音材の表面にクロスを貼着することにより、板状の一定形状を保持させた
ことを特徴とする請求項１または２に記載の遊技機島。
【請求項４】
前記防音材は、前記駆動搬送手段と対向する側の層を吸音材にし、この上層を遮音材にした
ことを特徴とする請求項１乃至３のいずれか１つに記載の遊技機島。
【発明の詳細な説明】
【技術分野】
【０００１】
本発明は、複数の遊技装置を並設収容する遊技機島に係わり、特に各遊技装置へ補給する遊技媒体を動力式の駆動搬送手段で搬送する遊技機島の防音対策に関する。
【背景技術】
【０００２】
パチンコ機などの遊技装置を複数並設して収容する遊技機島では、遊技装置の上方に下り勾配をつけて掛け渡した補給樋を設置し、この補給樋の下り勾配を利用して上部タンクから各遊技装置へ遊技球を補給するようになっていた。このような補給方法では勾配を稼ぐ必要があり、どうしても遊技機島の高さが高くなってしまう。そこで、動力で遊技球を水平に搬送する遊技球補給装置が種々提案されている。
【０００３】
たとえば、特許文献１に開示された遊技球補給装置では、水平な回転ディスクを遊技機島の長手方向に沿って複数並設することで搬送路を構成し、この回転ディスクの回転により遊技球を隣接する回転ディスクへ順に搬送するようになっている。
【０００４】
また、特許文献２には、駆動ローラと従動ローラとの間に掛け渡された水平搬送ベルトを周回させて遊技球を搬送する遊技球補給装置が開示されている。このほか、スロットマシン等に用いるメダルやコイン等の円板状体を搬送する装置において、搬送方向を互いに逆向きにした２台のベルトコンベアを平行に並設し、両端で一方のベルトコンベアから他方のベルトコンベアへガイド部材で遊技媒体を移行させることでループ状に搬送する搬送装置がある（たとえば、特許文献３参照。）。
【０００５】
【特許文献１】特開２００４−２７５６７０号公報
【特許文献２】特許第２５１８４９０号公報
【特許文献３】特許第３１２６８２２号公報
【発明の開示】
【発明が解決しようとする課題】
【０００６】
遊技機島では、通常、遊技球が補給樋を流れる音などの騒音が外部へ漏れることを防止するために、島の上部をベニヤ板などで覆っている。しかし、上記動力式の補給搬送装置を用いる場合には稼動音が大きいので、従来の遮音方法では不十分で音漏れが生じ、遊技場内の騒音レベルが上がってしまうという問題があった。
【０００７】
本発明は、上記の問題を解決しようとするものであり、内部で発生する騒音が外部へ漏れ難い遊技機島を提供することを目的としている。
【課題を解決するための手段】
【０００８】
請求項１に係わる発明は、複数の遊技装置を並設して収容すると共に、動力を用いて遊技媒体を搬送する駆動搬送手段（５０）によって前記各遊技装置へ前記遊技媒体を補給する遊技機島（１０）において、
前記駆動搬送手段（５０）の上方に防音材（３０）を配設した
ことを特徴とする遊技機島（１０）である。
【０００９】
上記発明によれば、駆動搬送手段（５０）の上方に配設した防音材（３０）によって駆動搬送手段（５０）の稼働音が吸音され、外部への音漏れが低減される。防音材（３０）は、駆動搬送手段（５０）の上方の一部に配設されてもかまわないが、駆動搬送手段（５０）の上方全体を覆うように配設されることが望ましい。
【００１０】
請求項２に係わる発明は、前記防音材（３０）を、着脱自在に配設した
ことを特徴とする請求項１に記載の遊技機島（１０）である。
【００１１】
上記発明によれば、駆動搬送手段（５０）の上方に配設された防音材（３０）を自在に着脱できるので、駆動搬送手段（５０）のメンテナンスを容易に行なうことができる。
【００１２】
請求項３に係わる発明は、前記防音材（３０）の表面にクロス（３２）を貼着することにより、板状の一定形状を保持させた
ことを特徴とする請求項１または２に記載の遊技機島（１０）である。
【００１３】
上記発明によれば、防音材（３０）の材質が軟質であっても、クロス（３２）を貼着することにより防音材（３０）を板材のように容易に取り扱うことが可能になる。また、ベニヤ板などに貼着して剛性を確保する場合に比べて軽量で扱い易い。
【００１４】
請求項４に係わる発明は、前記防音材（３０）は、前記駆動搬送手段（５０）と対向する側の層を吸音材（３１）にし、この上層を遮音材（３３）にした
ことを特徴とする請求項１乃至３のいずれか１つに記載の遊技機島（１０）である。
【００１５】
上記発明によれば、吸音材（３１）で吸音し切れずに上方へ漏れようとする音が、吸音材（３１）の上層の遮音材（３３）に反射される。これにより駆動搬送手段（５０）の稼働音が外部へ漏れることをさらに効果的に防止することができる。
【発明の効果】
【００１６】
本発明に係わる遊技機島によれば、遊技媒体を搬送する駆動搬送手段の上方に防音材を配設したので、駆動搬送手段の稼働音が遊技機島の外部へ漏れ難くなり、遊技場内の騒音レベルを下げることができる。
【発明を実施するための最良の形態】
【００１７】
以下、図面に基づき本発明の実施の形態を説明する。
【００１８】
図１は本実施の形態に係わる遊技機島１０の内部構造を示し、図２は遊技機島１０の内部構造の縦断面を示している。遊技機島１０は、遊技機２および遊技球貸機３を一組とした遊技装置を背中合わせにした状態で（図２参照）島の表裏面に多数並設収容している。また、遊技に供する遊技球を遊技機島１０の中で循環させて繰り返し使用するための各種付帯設備を収容している。ここでは、遊技機２は、パチンコ機であり、遊技球貸機３は遊技媒体である遊技球（パチンコ球）を遊技者に貸し出す装置である。
【００１９】
遊技機島１０は、島枠や島柱１１を遊技場のフロア上に構築し、これらに遊技装置２、３や付帯設備を取り付けると共に、その他必要な箇所に図示省略の外装を施して構成される。遊技機島１０の内部中央には、遊技球を島の下部から上部へ研磨しながら揚送する揚送研磨機１２が立設されており、その上部には揚送研磨機１２が揚送した遊技球を貯留する上部貯留タンク７０が設置してある。
【００２０】
揚送研磨機１２の左右両側には、多数の遊技機２が島端まで列設されており、これらの上方には、上部貯留タンク７０の左右側壁に設けられた上部タンクシャッタ７１Ｌ、７１Ｒを通じて供給される遊技球を各遊技装置２、３に向けて補給搬送する遊技球補給装置５０が、島の一端から他端まで水平に掛け渡すように設置されている。遊技球補給装置５０は、動力を用いて遊技媒体を搬送するベルトコンベア式の駆動搬送手段である。遊技球補給装置５０で搬送される遊技球は、搬送路の両縁部に沿って配設されたシュート６１に適宜取り込まれて整列された後、遊技装置２、３に補給される。
【００２１】
遊技機島１０の下部には、遊技球を貯留するための下部貯留タンク１５が島の長手方向に沿って複数設置されている。下部貯留タンク１５は、島柱１１の下部に取り付けられる腰板２４が容器の側壁を兼ねるように構成されており、遊技機島１０の狭い下部空間において、より大きな容積を稼げるようになっている。上部貯留タンク７０で余剰となった遊技球はオーバーフロー管２１を通じて排出されて下部貯留タンク１５に貯留される。また、遊技球補給装置５０の搬送路上で余剰となった遊技球は、オーバーフロー用シュート６１ａからオーバーフロー管２２を通じて排出されて下部貯留タンク１５に貯留される。
【００２２】
各下部貯留タンク１５の底部は、左右両端から中央に向けて下り傾斜し、最下部には遊技球の排出口を開閉する開閉装置１６が設けてある。下部貯留タンク１５の下方には島端から揚送研磨機１２の下部にある球導入口１２ａに向けて遊技球を搬送する回収コンベア１８が設置されている。回収コンベア１８は、各遊技機２からアウト球として排出された遊技球の回収搬送と、下部貯留タンク１５から排出された遊技球の回収搬送とを行なう。なお、遊技機２からアウト球として排出された遊技球は、遊技機２の下方に下り勾配をつけて掛け渡されたアウト球樋１９で回収された後、隣接する下部貯留タンク１５同士の間に設けた通路装置２０を落下して回収コンベア１８上に放出されて揚送研磨機１２へ搬送される。
【００２３】
遊技機島１０の上部においては、図２に示すように、遊技球補給装置５０の上方に防音材３０が、ほぼ遊技球補給装置５０の全長にわたって配設してあり、さらにその上に装飾用のベニヤ板２５を被せてある。また、遊技機島１０の上部表裏面には遊技球補給装置５０の両サイドを覆うように幕板２６が設けてあり、遊技機島１０の両端には図示省略の島端装飾板が設けてある。これらに囲まれて遊技球補給装置５０は島内にほぼ密閉されている。
【００２４】
図３は、防音材３０の断面を示している。防音材３０は、発砲ウレタンからなる矩形板状に成形された吸音材３１の周りにクロス３２を貼り付けて構成されている。発砲ウレタンの吸音材３１のみではやわらかくて曲がり易いが、クロス３２を貼着することで腰が出て、板状の一定形状を保持している。すなわち、吸音材３１の材質自体が軟質であっても、クロス３２を貼着することで、板材のように容易に取り扱うことができる。その結果、ベニヤ板などに貼着して剛性を確保する必要がなく、軽量になる。また、加工性が向上し、適当な形に切断加工することができる。なお、クロス３２は、吸音材３１への音の進入をほとんど阻害しないので、吸音材３１の吸音効果に影響を与えない。
【００２５】
ここでは、１枚の防音材３０のサイズを、取り扱い容易なサイズ、たとえば１台分の遊技機２の幅に相当する長さにし、複数枚の防音材３０を配列させて遊技球補給装置５０の上部全体を覆うようにしてある。これらの防音材３０は、遊技球補給装置５０の上方へ着脱自在に配設してある。たとえば、防音材３０は島柱１１の上端などに単に載置される。また、クロス３２の貼着により防音材３０は板材のようになるので、例えば遊技機２の幅に合わせた長さに切断加工して着脱自在に配設することにより、遊技球補給装置５０のメンテナンスを容易に行なうことができる。
【００２６】
図４は、遮音材を積層したタイプの防音材３０ａを示している。防音材３０ａは、遊技球補給装置５０と対向する側の層を吸音材３１にし、この上層を遮音材３３にした積層構造になっている。吸音材３１には図３の防音材３０と同様にクロス３２が貼着してある。遮音材３３は、たとえば、薄い鉛の板や鉛の箔などで構成される。
【００２７】
防音材３０ａにおいては、吸音材３１で吸音し切れずに上方へ漏れようとする音が、吸音材３１の上層にある遮音材３３で反射されるので、遊技球補給装置５０の稼働音が遊技機島１０の外部へ漏れることをさらに効果的に防止することができる。
【００２８】
図５は、遊技球補給装置５０を上から見た様子を示している。遊技球補給装置５０の上方には、上部貯留タンク７０がある部分を除く全長にわたって防音材３０が配設されている。なお、図５では防音材３０を遊技機２の幅Ｗに合わせた長さに切断加工したものとしている。遊技球補給装置５０は、遊技球を搬送する補給搬送路として互いに搬送方向が逆向きの第１ベルトコンベア５１ａと第２ベルトコンベア５１ｂとを平行に並設して備える。詳細には、長手方向のほぼ全長を成す搬送レール５２を備え、各ベルトコンベア５１ａ、５１ｂは、搬送レール５２の一端に配されたモータで回転駆動される駆動プーリと、他端に配された従動プーリとの間に無端の搬送ベルト５５ａ、５５ｂを掛け渡して構成されている。
【００２９】
第１モータ５６ａを駆動すると第１ベルトコンベア５１ａの第１搬送ベルト５５ａが矢印Ａ方向へ周回し、第２モータ５６ｂを駆動すると第２ベルトコンベア５１ｂの第２搬送ベルト５５ｂが矢印Ｂ方向へ周回するようになっている。また、両端部は、一方のベルトコンベアの終端まで搬送されてきた遊技球が他方のベルトコンベアに移行するように形成してあり、遊技球補給装置５０上を遊技球が図５に模擬表示した搬送ループＣに沿って周回するようになっている。
【００３０】
図６に示すように、第１ベルトコンベア５１ａと第２ベルトコンベア５１ｂとの境界には段差や障壁がなく遊技球が往来自在になっているので、第１ベルトコンベア５１ａと第２ベルトコンベア５１ｂとによって逆向きに搬送される遊技球は境界付近で衝突し、たとえば、図中の矢印Ｆで示すように、その進路を斜めに変更する。このように進路変更した遊技球はさらに他の遊技球と衝突し易くなり、各所で衝突が生じ、搬送中の遊技球は様々な方向へ進路を取る。たとえば、ある遊技球は境界部での衝突によって進路変更し、そのままシュート６１の取込口６２に取り込まれる。
【００３１】
このように遊技球補給装置５０は遊技球を衝突させながら搬送するので、衝突音が発生して稼動音が大きいが、防音材３０による防音効果により遊技機島１０の外部での騒音レベルは支障のないレベルに低減される。
【００３２】
実測では、防音材３０を配設することにより、遊技機島１０外部の騒音レベルが約５ｄＢ低減された。特に、４ＫＨｚ以上の耳障りな周波数帯で騒音レベルを下げることができ、体感的には数値以上の静かさになった。また、遮音材３３を重ね合わせた防音材３０ａの場合にはさらに２ｄＢ以上の騒音が低減された。
【００３３】
以上、本発明の実施の形態を図面によって説明してきたが、具体的な構成は実施の形態に示したものに限られるものではなく、本発明の要旨を逸脱しない範囲における変更や追加があっても本発明に含まれる。
【００３４】
たとえば、実施の形態では吸音材３１を発砲ウレタンで形成し、遮音材３３を薄い鉛で形成したが、これらに限定されず、吸音材３１は吸音機能を果たす素材であればよく、遮音材３３は遮音機能を果たす素材であればよい。また、クロスの種類は適宜に選択すればよい。
【００３５】
実施の形態では防音材３０を遊技球補給装置５０の上方のみに配設したが、さらに幕板２６の裏側や島端の飾り板の内側などに配設してもよい。
【００３６】
また、遊技球補給装置５０は、遊技球を動力で搬送するものであれば、実施の形態で例示したものに限定されないが、シュート６１へ遊技球を向かわせるために遊技球同士を衝突させるタイプのように稼動音の大きな補給搬送装置に対して本発明の防音材３０は好適である。
【図面の簡単な説明】
【００３７】
【図１】本発明の実施の形態に係わる遊技機島の内部構造を示す正面図である。
【図２】本発明の実施の形態に係わる遊技機島の内部構造を示す縦断面図である。
【図３】防音材を示す断面図である。
【図４】遮音材を備えた防音材を示す断面図である。
【図５】遊技球補給装置を示す平面図である。
【図６】搬送中の遊技球の挙動の一例を示す説明図である。
【符号の説明】
【００３８】
２…遊技機
３…遊技球貸機
１０…遊技機島
１１…島柱
１２…揚送研磨機
１２ａ…球導入口
１５…下部貯留タンク
１６…開閉装置
１８…回収コンベア
１９…アウト球樋
２０…通路装置
２１、２２…オーバーフロー管
２４…腰板
２５…ベニヤ板
２６…幕板
３０、３０ａ…防音材
３１…吸音材
３２…クロス
３３…遮音材
５０…遊技球補給装置
５１ａ…第１ベルトコンベア
５１ｂ…第２ベルトコンベア
５２…搬送レール
５５ａ…第１搬送ベルト
５５ｂ…第２搬送ベルト
５６ａ…第１モータ
５６ｂ…第２モータ
６１…シュート
６１ａ…オーバーフロー用シュート
６２…取込口
７０…上部貯留タンク
７１Ｌ、７１Ｒ…上部タンクシャッタ
【図１】
2007151920.tif 000003
【図２】
2007151920.tif 000004
【図３】
2007151920.tif 000005
【図４】
2007151920.tif 000006
【図５】
2007151920.tif 000007
【図６】
2007151920.tif 000008